(57)【要約】  【課題】  本考案は、組立・分解が容易で持ち運びに便利であると共に、使い勝手に優れた簡易トイレの提供を課題とする。  【解決手段】  ベース１と、ベース１上に立設される支柱２と、支柱２の上方及び下方から支柱２の前方へ水平方向に延出する上部腕金３及び下部腕金４と、上部腕金３と下部腕金４の間に装着されるカーテン５より成り、上部腕金３がリング状に形成されていると共に、下部腕金４が前方に向かって開口する略コ字状に形成され、上部腕金３と下部腕金４との間に装着されるカーテン５によって、開閉可能な出入口３８を備えた筒状の内部空間が形成されて成る簡易トイレであって、ベース１と支柱２、支柱２と上部腕金３、支柱２と下部腕金４が互いに挿脱可能に成されていると共に、カーテン５が、上部腕金３と下部腕金４との間に着脱可能に装着されていることを特徴とする。【選択図】  図１
0003108358.tif 000002
【実用新案登録請求の範囲】
【請求項１】
ベース（１）と、ベース（１）上に立設される支柱（２）と、支柱（２）の上方及び下方から支柱（２）の前方へ水平方向に延出する上部腕金（３）及び下部腕金（４）と、上部腕金（３）と下部腕金（４）の間に装着されるカーテン（５）より成り、
上部腕金（３）がリング状に形成されていると共に、下部腕金（４）が前方に向かって開口する略コ字状に形成され、上部腕金（３）と下部腕金（４）との間に装着されるカーテン（５）によって、開閉可能な出入口（３８）を備えた筒状の内部空間が形成されて成る簡易トイレであって、
上記ベース（１）と支柱（２）は、ベース（１）に設けられる支柱支持部材（６）を介して挿脱可能に成され、上記支柱（２）と上部腕金（３）は、支柱（２）の上方に設けられた嵌合穴（９）を有する上部腕金支持部材（７）と上部腕金（３）に設けられた嵌合片（１１）によって挿脱可能に成され、上記支柱（２）と下部腕金（４）は、支柱（２）の下方に設けられた嵌合穴（１０）を有する下部腕金支持部材（８）と下部腕金（４）に設けられた嵌合片（１２）によって挿脱可能に成され、上記カーテン（５）は、上部腕金（３）と下部腕金（４）との間に着脱可能に装着されていることを特徴とする簡易トイレ。
【請求項２】
上記ベース（１）の支柱支持部材（６）と支柱（２）、支柱（２）の上部腕金支持部材（７）と上部腕金（３）の嵌合片（１１）、支柱（２）の下部腕金支持部材（８）と下部腕金（４）の嵌合片（１２）は、その使用時において互いに連通する挿通穴（２１，２２）、（２３，２４）、（２５，２６）を有して成り、上記互いに連通する挿通穴（２１，２２）、（２３，２４）、（２５，２６）に固定ピン（３１，３２，３３）を挿入することによって、その固定が行われることを特徴とする請求項１記載の簡易トイレ。
【請求項３】
上記支柱（２）は、中央部分で一方の支柱（１５）と他方の支柱（１６）の二つに分割されていると共に、一方の支柱（１５）に他方の支柱（１６）と嵌合する嵌合部（１７）を備えて成り、挿脱可能な挿入式の支柱（２）として構成されていることを特徴とする請求項１又は請求項２に記載の簡易トイレ。
【請求項４】
上記支柱（２）は、中央部分で一方の支柱（１５）と他方の支柱（１６）の二つに分割されていると共に、一方の支柱（１５）と他方の支柱（１６）とがヒンジ部（１８）を介して連接されて成り、折畳可能な折畳式の支柱（２）として構成されていることを特徴とする請求項１又は請求項２に記載の簡易トイレ。
【考案の詳細な説明】
【技術分野】
【０００１】
本考案は、組立・分解が容易で持ち運びに便利であると共に、使い勝手に優れた簡易トイレに関する。
【背景技術】
【０００２】
周知の通り、キャンプやバーベキュー、イベントなどの野外活動の際や、渋滞時、災害時等において利用できる簡易トイレとして、特許文献１に示されている吊り下げ式の簡易ルームを備えた簡易トイレや、特許文献２に示されている傘を利用した簡易トイレが提案されている。
【０００３】
上記特許文献１の簡易トイレは、簡易トイレを構成する各部品を段ボールによって形成することで軽量化を図り、持ち運びに便利なように構成され、さらに、簡易ルームを吊り下げ式の天蓋にシートを装着して成る簡素なものとし、組立・分解も比較的容易に行えるように構成されている。
【０００４】
また、特許文献２の簡易トイレは、傘の支柱を延長して傘を所定の高さに位置させると共に、傘の裾の部分にカーテンを取付けることによって、簡易トイレを形成するものであり、開閉可能な傘を利用することで、組立・分解が容易で持ち運びに便利な簡易トイレが構成されている。
【特許文献１】特開平９−２２０１７５
【特許文献２】特開２００２−１２５７３１
【考案の開示】
【考案が解決しようとする課題】
【０００５】
ところで、上記特許文献１に示されている簡易ルームを備えた簡易トイレの場合、簡易ルームが吊り下げ式であるため、吊り下げ可能な場所や吊り下げ手段を別途確保する必要あり、その結果、設置場所が制限されてしまうと共に、簡易ルームが風に煽られ易く、使い勝手が良くないという不具合が生じていた。
【０００６】
また、特許文献２に示されている傘を利用した簡易トイレの場合、中央に支柱が位置しているため、この支柱が邪魔となって簡易トイレの内部空間を広く有効に利用できず、使い勝手が良くないという不具合が生じていた。
【０００７】
よって本考案は、上記課題を解決するものであって、組立・分解が容易で持ち運びに便利であると共に、使い勝手に優れた簡易トイレの提供を目的とする。
【課題を解決するための手段】
【０００８】
本考案は、上記目的を達成するために、次の技術的手段を有する。
即ち、ベース１と、ベース１上に立設される支柱２と、支柱２の上方及び下方から支柱２の前方へ水平方向に延出する上部腕金３及び下部腕金４と、上部腕金３と下部腕金４の間に装着されるカーテン５より成り、上部腕金３がリング状に形成されていると共に、下部腕金４が前方に向かって開口する略コ字状に形成され、上部腕金３と下部腕金４との間に装着されるカーテン５によって、開閉可能な出入口３８を備えた筒状の内部空間が形成されて成る簡易トイレであって、
上記ベース１と支柱２は、ベース１に設けられる支柱支持部材６を介して挿脱可能に成され、上記支柱２と上部腕金３は、支柱２の上方に設けられた嵌合穴９を有する上部腕金支持部材７と上部腕金３に設けられた嵌合片１１によって挿脱可能に成され、上記支柱２と下部腕金４は、支柱２の下方に設けられた嵌合穴１０を有する下部腕金支持部材８と下部腕金４に設けられた嵌合片１２によって挿脱可能に成され、上記カーテン５は、上部腕金３と下部腕金４との間に着脱可能に装着されていることを特徴とする簡易トイレである。
【０００９】
さらに、上記ベース１の支柱支持部材６と支柱２、支柱２の上部腕金支持部材７と上部腕金３の嵌合片１１、支柱２の下部腕金支持部材８と下部腕金４の嵌合片１２は、その使用時において互いに連通する挿通穴２１，２２，２３，２４，２５，２６を有して成り、上記互いに連通する挿通穴２１，２２，２３，２４，２５，２６に固定ピン３１，３２，３３を挿入することによって、その固定が行われることを特徴としている。
【００１０】
また、上記支柱２は、中央部分で一方の支柱１５と他方の支柱１６の二つに分割されていると共に、一方の支柱１５に他方の支柱１６と嵌合する嵌合部１７を備えて成り、挿脱可能な挿入式の支柱２として構成されていることを特徴としている。
【００１１】
また、上記支柱２は、中央部分で一方の支柱１５と他方の支柱１６の二つに分割されていると共に、一方の支柱１５と他方の支柱１６とがヒンジ部１８を介して連接されて成り、折畳可能な折畳式の支柱２として構成されていることを特徴としている。
【考案の効果】
【００１２】
本考案の簡易トイレは、上述したように、ベース１、支柱２、上部腕金３、下部腕金４、カーテン５より成る非常に簡素な構成であると共に、その組立と分解は、枠組を形成するベース１、支柱２、上部腕金３、下部腕金４の挿脱とカーテン５の着脱という、非常に単純で簡単な作業によって行うことができるので、組立・分解に時間が掛からず、良好な組立・分解性を備えるものである。
【００１３】
さらに、簡易トイレの構造が簡素であり、簡易トイレを小型軽量に構成することができるので、持ち運びに便利であると共に、設置場所を選ばず、しかも、カーテン５が上部腕金３と下部腕金４の双方に装着・固定されるので、風に煽られにくく、加えて、カーテン５に囲まれた内部空間には、支柱等が位置していないので、内部空間を広く有効に利用することができ、使い勝手に優れているものである。
【００１４】
従って、本考案によると、キャンプやバーベキュー、野外でのイベントなどの野外活動の際や、渋滞時、災害時に活用できる組立・分解が容易であると共に、使い勝手に優れた簡易トイレを提供できる。
【００１５】
さらに、簡易トイレを構成するベース１、支柱２、上部腕金３、下部腕金４の各部品をその使用時において、固定ピン３１，３２，３３で固定することにより、安全性に優れた簡易トイレを提供することができる。
【００１６】
また、簡易トイレを構成する支柱２を挿入式又は折畳式とすることによって、簡易トイレの組立・分解性を損なうことなく分解時の支柱２をコンパクトにすることができ、簡易トイレの持ち運びをより便利にすることができる。
【考案を実施するための最良の形態】
【００１７】
次に添付図面に基づき、本考案の簡易トイレについて説明する。
図１は、本考案の簡易トイレの構成を示す全体斜視図であって、図２及び図３は、本考案の簡易トイレの構成とその使用状態を示す側面図及び平面図（簡易トイレの構成を明確にするためにカーテン５の図示を省略した）である。
【００１８】
図１に示したように、本考案の簡易トイレは、ベース１と、ベース１上に立設される支柱２と、支柱２の上方及び下方から支柱２の前方へ水平方向に延出する上部腕金３及び下部腕金４と、上部腕金３と下部腕金４との間に吊り下げられ、筒状の内部空間を形成するカーテン５によって構成されている。
【００１９】
上記ベース１と支柱２は、ベース１に設けられた支柱支持部材６を介して挿脱可能に成されており、支柱２と上部腕金３は、支柱２の上方に設けられた上部腕金支持部材７と上部腕金３に設けられた嵌合片１１によって挿脱可能に成され、支柱２と下部腕金４は、支柱２の下方に設けられた下部腕金支持部材８と下部腕金４に設けられた嵌合片１２によって挿脱可能に成され、さらに、上記カーテン５は、カーテン５の上下の縁に所定の間隔で配設された紐１４によって上部腕金３と下部腕金４との間に着脱可能に装着されている。尚、上記ベース１には図１に示すように、ベース１の４つの先端部に穴を形成し、その穴を利用して一点鎖線で示すようにアンカーボルトを打込み、ベース１を地表に固定し、天候状況、設置場所の不安定性等にかかわらず、ベース１及び支柱２の倒れを防止するとよい。
【００２０】
即ち、本考案の簡易トイレを構成するベース１、支柱２、上部腕金３、下部腕金４、カーテン５の各々は、互いに対して組立・分解が可能なように成されている（図６参照）。
【００２１】
さらに、ベース１の支柱支持部材６と支柱２は、図５に示したように、ベース１の支柱支持部材６と支柱２の各々に形成された互いに連通する挿通穴２１，２２に固定ピン３１を挿入することによって固定されており、支柱２の上部腕金支持部材７と上部腕金３の嵌合片１１は、図４に示したように、上部腕金支持部材７と嵌合片１１の各々に形成された互いに連通する挿通穴２３，２４に固定ピン３２を挿入することによって固定されている。
【００２２】
また、支柱２の下部腕金支持部材８と下部腕金４の嵌合片１２は、下部腕金支持部材８と嵌合片１２の各々に形成された互いに連通する挿通穴２５，２６に固定ピン３３を挿入することによって固定されている（上記支柱２の上部腕金支持部材７と上部腕金３の嵌合片１１の場合と同様であるので、図４に括弧付の符号で示した）。
【００２３】
そして、本考案の簡易トイレは、上記カーテン５によって囲まれる筒状の内部空間をトイレとして利用するものであり、カーテン５の一方端３６と他方端３７とを突き合わせることによって内部空間を外部から遮断することができ、また、カーテン５の一方端３６と他方端３７を外側に開く（図１、図２参照）ことによって出入口３８が形成される。
【００２４】
そして、上記カーテン５に囲まれた筒状の内部空間を形成するため、上部腕金３がリング状に形成されており、さらに、内部空間への出入りを容易且つ安全とするため、下部腕金４が前方に開口する略コ字状に形成されていると共に、その開口端側には、脚部１３が設けられている。
【００２５】
そして、図２，図３に示したように、簡易トイレの使用時には、カーテン５に囲まれた内部空間内に便器４１が設置されるものであり、本実施の形態では、便器４１として、小便器４２とタンク４３より成るものを示したが、これに限らず、その他、様々な形状・形態の便器を設置して用いることが可能である。
【００２６】
次に、本考案の簡易トイレを構成するベース１、支柱２、上部腕金３、下部腕金４、カーテン５の各々について詳細に説明する。
上記ベース１は、Ｘ字状に形成された板状部材によって構成されていると共に、支柱２の下部に嵌合し、支柱２を支持する支柱支持部材６を備えて成るものであり、上記支柱支持部材６は、Ｘ字状のベース１のクロス部分より後方に配設される取付板２０上に立設されている。
【００２７】
また、上記Ｘ字状に形成されたベース１は、上記取付板２０よりも後方に延出する部分を有して成り、支柱２の転倒（簡易トイレの転倒）を効果的に防止しており、さらに、この取付板２０よりも後方に延出した部分に重しをする等して固定することによって、より効果的に支柱２の転倒を防止できる。
【００２８】
上記支柱２は、断面四角形の中空の角柱によって構成され、上方端部に嵌合穴９を有する上部腕金支持部材７、下方端部に嵌合穴１０を有する下部腕金支持部材８が各々設けられて成り、さらに、本実施の形態では、上記支柱２の中空部分に上記支柱支持部材６が嵌合するように構成され、支柱２の下部と支柱支持部材６の各々には、互いを嵌合させた際に連通し、固定ピン３１が挿入される挿通穴２１，２２が形成されている。
【００２９】
また、上記上部腕金支持部材７及び下部腕金支持部材８は、断面四角形の中空の筒状部材によって構成され、各々の中空部分が嵌合穴９及び嵌合穴１０を成すものであり、その構造は非常に簡素であり、製造コストの低減を容易に実現できる。
【００３０】
上記上部腕金３は、リング状に形成されていると共に、上記上部腕金支持部材７の嵌合穴９に嵌合する嵌合片１１を備え、上記上部腕金支持部材７と上部腕金３の嵌合片１１の各々には、互いを嵌合させた際に連通し、固定ピン３２が挿入される挿通穴２３，２４が形成されている。
【００３１】
上記下部腕金４は、前方に開口する略コ字状に形成されていると共に、上記下部腕金支持部材８の嵌合穴１０に嵌合する嵌合片１２を備え、上記下部腕金支持部材８と下部腕金４の嵌合片１２の各々には、互いを嵌合させた際に連通し、固定ピン３３が挿入される挿通穴２５，２６が形成されている。
【００３２】
また、下部腕金４の開口端側には、脚部１３が形成されており、支柱２の前方へ水平方向に延出する下部腕金４自身を支持すると共に、支柱２の転倒を防止している。
【００３３】
上記カーテン５は、上下の縁に所定の間隔で紐１４が配設されて成り、この紐１４を上部腕金３及び下部腕金４に結び付けることによってその装着が行われ、また、カーテン５の幅方向の長さは、リング状の上部腕金３に吊り下げた際に、一方端３６と他方端３７の重ね合わせ部分を形成できるように設定されている。
【００３４】
さらに、上記略コ字状の下部腕金４に対するカーテン５の下縁の固定は、カーテン５の端部付近を除いて行われ、これによってカーテン５の一方端３６と他方端３７を開閉自在とし、出入口３８の開閉を容易且つ確実に行うことができる。
【００３５】
そして、本考案の簡易トイレの組立は、簡易トイレの枠組の形成とカーテン５の装着の二段階に分けて行われるものであり、枠組の形成は、図６に示したように、ベース１の支柱支持部材６を支柱２の下部に挿入して嵌合させ、挿通穴２１，２２に固定ピン３１を挿入して固定し、次に、支柱２の上部腕金支持部材７の嵌合穴９に上部腕金３の嵌合片１１を挿入して嵌合させ、挿通穴２３，２４に固定ピン３２を挿入して固定すると共に、支柱２の下部腕金支持部材８の嵌合穴１０に下部腕金４の嵌合片１２を挿入して嵌合させ、挿通穴２５，２６に固定ピン３３を挿入して固定することによって行われる。
【００３６】
そして、カーテン５の装着は、図１に示したように、上部腕金３にカーテン５の上縁に配設された紐１４を結び付けてカーテン５を吊り下げると共に、下部腕金４にカーテン５の下縁に配設された紐１４を結び付けることによって行われる。
【００３７】
また、本考案の簡易トイレの分解は、上述した組立の手順を逆に行うこと、即ち、カーテン５の取外しと、枠組の分解を行うことによって行われ、カーテン５の取外しは、上下の縁に配設され、上部腕金３と下部腕金４に結び付けられた紐１４を解くことによって行われ、枠組の分解は、各固定ピン３１，３２，３３を抜き取り、支柱２の上部腕金支持部材７の嵌合穴９から上部腕金３の嵌合片１１を抜き取ると共に、支柱２の下部腕金支持部材８の嵌合穴１０から下部腕金４の嵌合片１２を抜き取り、さらに、支柱２をベース１の支柱支持部材６から抜き取ることによって行われる。
【００３８】
そして、本考案の簡易トイレの組立と分解は、上述したように、枠組を形成するベース１、支柱２、上部腕金３、下部腕金４の挿脱とカーテン５の着脱という、非常に単純で簡単な作業によって行うことができるので、組立・分解に時間が掛らず、しかも、部品点数が少なく、その構造も非常に簡素であるので、良好な組立・分解性を備えると共に、持ち運びに便利である。
【００３９】
さらに、本考案の簡易トイレは、小型軽量に構成することができるので、設置場所を選ばず、しかも、カーテン５が上部腕金３と下部腕金４の双方に固定されるので、風に煽られにくく、加えて、カーテン５に囲まれた内部空間に支柱等が位置していないので、内部空間を広く有効に利用することができ、使い勝手に優れている。
【実施例１】
【００４０】
次に本考案の実施例を説明する。
図７は、本考案の実施例１を示しており、上述した考案を実施するための最良の形態で示した簡易トイレの支柱２を長手方向の中央部分で一方の支柱１５と他方の支柱１６の二つに分割すると共に、一方の支柱１５に他方の支柱１６と嵌合する嵌合部１７を形成することによって、一方の支柱１５と他方の支柱１６が挿脱可能に成された挿入式の支柱２として構成されている場合を示している。
【００４１】
そして、上記挿入式の支柱２において、一方の支柱１５の嵌合部１７を他方の支柱１６に挿入し嵌合させた際には、他方の支柱１６と嵌合部１７の各々に形成された互いに連通する挿通穴２７，２８に固定ピン３４を挿入することによって、一方の支柱１５と他方の支柱１６が嵌合状態（使用状態）で固定される。
【００４２】
さらに、上記の如く、支柱２を挿脱可能な一方の支柱１５と他方の支柱１６で構成される挿入式とすることにより、持ち運び時における支柱２の長さを小さくすることができ、従って、本考案の簡易トイレの持ち運びをより容易とすることができる。
【００４３】
加えて、上記一方の支柱１５と他方の支柱１６の挿脱及び固定は、非常に容易に行うことができるので、本考案の簡易トイレにおける良好な組立・分解性が損なわれることもない。
【実施例２】
【００４４】
図８は、本考案の実施例２を示しており、上記実施例１と同様に本考案の簡易トイレの持ち運びを容易とするものであり、支柱２を長手方向の中央部分で一方の支柱１５と他方の支柱１６の二つに分割すると共に、一方の支柱１５と他方の支柱１６をヒンジ部１８で連接することによって、一方の支柱１５と他方の支柱１６が折畳可能な折畳式の支柱２として構成されている場合を示している。
【００４５】
そして、この折畳式の支柱２においては、一方の支柱１５と他方の支柱１６がヒンジ部１８を中心にして展開（図８中の二点鎖線部分）した際に、一方の支柱１５と他方の支柱１６のヒンジ部１８に対向する位置に配設された固定板１９の各々に形成され、互いに連通する挿通穴２９，３０に固定ピン３５を挿入することによって、展開状態（使用状態）にある一方の支柱１５と他方の支柱１６が固定される。
【００４６】
そして、この折畳式の支柱２においても、上記実施例１の場合と同様、本考案の簡易トイレにおける良好な組立・分解性を損なうことなく、より持ち運びに便利な簡易トイレを提供できる。
【実施例３】
【００４７】
図９は、本考案の実施例３を示しており、簡易トイレを構成する支柱２として、断面円形の中空の円柱を使用したものであり、支柱２を断面円形の円柱とすることによって、角が無くより安全な簡易トイレを提供でき、また、この場合も、上記実施例１及び実施例２と同様に、支柱２を挿入式や折畳式とすることも考慮される。
【００４８】
尚、上述した考案を実施するための最良の形態及び実施例３では、ベース１が一体的に形成されている場合を示したが、持ち運びをより便利にするために、折畳式にする等、ベース１を複数の部品で構成することも考慮され、また、上部腕金３及び下部腕金４に対するカーテン５の装着を紐１４によって行う場合を示したが、フック等を用いることも勿論可能であり、また、上部腕金３及び下部腕金４にカーテンレール等を利用することも考慮される。
【００４９】
さらに、支柱２が、断面四角形の角柱あるいは断面円形の円柱である場合を示したが、これら以外の断面形状を有する柱状体を支柱２として用いることも勿論可能である。
【図面の簡単な説明】
【００５０】
【図１】本考案の簡易トイレの全体斜視図である。
【図２】本考案の簡易トイレの側面図である。
【図３】本考案の簡易トイレの平面図である。
【図４】支柱と上部腕金の組付状態を示す図２におけるＡ−Ａ線に沿う断面図である。
【図５】ベースと支柱の組付状態を示す図２におけるＢ−Ｂ線に沿う断面図である。
【図６】本考案の簡易トイレの組立・分解斜視図である。
【図７】実施例１における挿入式の支柱の例を示す斜視図である。
【図８】実施例２における折畳式の支柱の例を示す側面図である。
【図９】実施例３を示す簡易トイレの全体斜視図である。
【符号の説明】
【００５１】
１  ベース
２  支柱
３  上部腕金
４  下部腕金
５  カーテン
６  支柱支持部材
７  上部腕金支持部材
８  下部腕金支持部材
９，１０  嵌合穴
１１，１２  嵌合片
１３  脚部
１４  紐
１５  一方の支柱
１６  他方の支柱
１７  嵌合部
１８  ヒンジ部
１９  固定板
２０  取付板
２１，２２，２３，２４，２５，２６，２７，２８，２９，３０  挿通穴
３１，３２，３３，３４，３５  固定ピン
３６  カーテンの一方端
３７  カーテンの他方端
３８  出入口
４１  便器
４２  小便器
４３  タンク
【図１】
0003108358.tif 000003
【図２】
0003108358.tif 000004
【図３】
0003108358.tif 000005
【図４】
0003108358.tif 000006
【図５】
0003108358.tif 000007
【図６】
0003108358.tif 000008
【図７】
0003108358.tif 000009
【図８】
0003108358.tif 000010
【図９】
0003108358.tif 000011